(57)【要約】【課題】フラッシュ発光を行う撮影環境において、撮影者自身を良好に撮影できるとともに、撮影者の撮影操作などに悪影響を与えることを低減する。【解決手段】カメラ１００は被写体を撮影するアウトカメラ１０１ａとユーザを撮影するインカメラ３００とを有し、インカメラは表示部２８の画面が配置された面に配置されている。アウトカメラおよびインカメラで撮影を行う際、発光設定が行われていると、システム制御部５０は表示画面の明るさを予め定められた明るさに調整した後、ストロボ装置１０１ｂを発光制御してアウトカメラおよびインカメラによって撮影を行う。【選択図】図２
2015103943.tif 000002
【特許請求の範囲】
【請求項１】
被写体を撮影して第１の画像データを得る第１の撮像手段と、前記被写体を撮影する際にユーザ側を撮影して第２の画像データを得る第２の撮像手段と、前記第１の撮像手段による撮影を行う際に前記被写体を照射可能な発光手段と、少なくとも前記第１の画像データに応じた画像を表示する表示手段と有する撮像装置であって、
前記第２の撮像手段は前記表示手段の画面が配置された面側を撮影するように配置されており、
前記第１の撮像手段および前記第２の撮像手段による撮影を行う際、前記発光手段を発光させる場合、前記表示手段の画面を明るくするように制御する制御手段を有することを特徴とする撮像装置。
【請求項２】
前記制御手段は、前記第１の撮像手段および前記第２の撮像手段による撮影を行う際、前記発光手段を発光させる場合に、前記表示手段の画面における輝度を最大輝度にすることを特徴とする請求項１に記載の撮像装置。
【請求項３】
前記制御手段は、前記表示手段の画面を明るくする際、前記表示手段の画面を単色とすることを特徴とする請求項１又は２に記載の撮像装置。
【請求項４】
前記制御手段は、前記単色として前記表示手段の画面を白色とすることを特徴とする請求項３に記載の撮像装置。
【請求項５】
前記表示手段は、バックライトを備える液晶パネルであって、前記明るさ調整手段は前記バックライトを制御して前記表示手段の画面の明るさを調整することを特徴とする請求項１〜４のいずれか１項に記載の撮像装置。
【請求項６】
前記表示手段は、自己発光型の表示デバイスであって、前記明るさ調整手段は、前記表示デバイスの自己発光による発光効率を調整することを特徴とする請求項１〜４のいずれか１項に記載の撮像装置。
【請求項７】
前記自己発光型の表示デバイスは有機ＥＬであることを特徴とする請求項６に記載の撮像装置。
【請求項８】
撮影の際に周囲の明るさが所定の明るさ未満であるか否かを判定して、前記周囲の明るさが所定の明るさ未満であると、前記発光手段を発光させる設定を行う設定手段を有することを特徴とする請求項１〜７のいずれか１項に記載の撮像装置。
【請求項９】
前記被写体を撮影する際に逆光状態にあるか否かを判定する判定手段を有し、
前記判定手段によって前記逆光状態にあると判定された場合、前記制御手段は、前記表示手段の画面の明るさを変更しないことを特徴とする請求項１〜８のいずれか１項に記載の撮像装置。
【請求項１０】
前記表示手段の画面と前記ユーザとの距離を計測してユーザ距離を得る距離検出手段を有し、
前記制御手段は、前記ユーザ距離に応じて表示手段の画面の明るさを調整することを特徴とする請求項１〜９のいずれか１項に記載の撮像装置。
【請求項１１】
前記制御手段は前記ユーザ距離が所定の距離以下となると、前記表示手段の画面の明るさを変更しないことを特徴とする請求項１０に記載の撮像装置。
【請求項１２】
前記制御手段は、前記表示手段の画面を明るくした場合、前記第１の撮像手段および前記第２の撮像手段による撮影の後に、前記表示手段の画面の明るさを元に戻すことを特徴とする請求項１に記載の撮像装置。
【請求項１３】
前記制御手段は、前記表示手段の画面を明るくした後に、前記第１の撮像手段および前記第２の撮像手段による撮影を行うように制御することを特徴とする請求項１に記載の撮像装置。
【請求項１４】
被写体を撮影して第１の画像データを得る第１の撮像手段と、前記被写体を撮影する際にユーザ側を撮影して第２の画像データを得る第２の撮像手段と、前記第１の撮像手段による撮影を行う際に前記被写体を照射可能な発光手段と、少なくとも前記第１の画像データに応じた画像を表示する表示手段と有する撮像装置の制御方法であって、
前記第２の撮像手段は前記表示手段の画面が配置された面側を撮影するように配置されており、
前記第１の撮像手段および前記第２の撮像手段による撮影を行う際に、前記発光手段を発光させる場合、前記表示手段の画面を明るくするように制御する制御ステップを有することを特徴とする制御方法。
【請求項１５】
被写体を撮影して第１の画像データを得る第１の撮像手段と、前記被写体を撮影する際にユーザ側を撮影して第２の画像データを得る第２の撮像手段と、前記第１の撮像手段による撮影を行う際に前記被写体を照射可能な発光手段と、少なくとも前記第１の画像データに応じた画像を表示する表示手段と有する撮像装置で用いられる制御プログラムであって、
前記第２の撮像手段は前記表示手段の画面が配置された面側を撮影するように配置されており、
前記撮像装置が備えるコンピュータに、
前記第１の撮像手段および前記第２の撮像手段による撮影を行う際に、前記発光手段を発光させる場合、前記表示手段の画面を明るくするように制御する制御ステップを実行させることを特徴とする制御プログラム。
【発明の詳細な説明】
【技術分野】
【０００１】
本発明は、複数のカメラ部を備える撮像装置、その制御方法、および制御プログラムに関する。
【背景技術】
【０００２】
近年、携帯型ゲーム機および所謂スマートフォンなどに備えられた撮像装置では、複数のカメラ部を備えるものが知られている。例えば、この撮像装置ではメインカメラ部（以下アウトカメラと呼ぶ）を備えるとともに、アウトカメラと反対方向を撮影可能なサブカメラ部（以下インカメラと呼ぶ）を備えている。
【０００３】
さらに、デジタルカメラなどの撮像装置において、アウトカメラおよびインカメラを備えて、アウトカメラで被写体を撮影し、インカメラでユーザ（つまり、撮影者）を撮影して、２つの画像を関連付けて記録するようにしたものがある。
【０００４】
例えば、アウトカメラで撮影した画像とインカメラで撮影した画像とを合成して合成画像を生成するようにした撮像装置がある（特許文献１参照）。
【０００５】
一方、撮像装置において、暗所における撮影の際には、撮影の瞬間にフラッシュ装置を用いて閃光を投光し、さらに撮像素子の受光感度を上げて被写体を良好に撮影することが行われている。
【先行技術文献】
【特許文献】
【０００６】
【特許文献１】特開２０１１−２１７１２１号公報
【発明の概要】
【発明が解決しようとする課題】
【０００７】
ところで、アウトカメラおよびインカメラを備える撮像装置において、フラッシュ装置を用いた撮影を行う際、アウトカメラに関してはフラッシュ装置よる投光が行われるもののインカメラに関してはフラッシュ装置による投光は行なわれない。
【０００８】
図６は、従来の撮像装置においてフラッシュ装置による投光を行って撮影を行う場合の一例を示す図である。
【０００９】
アウトカメラおよびインカメラ６０１を備える撮像装置６００を用いて、暗所で被写体６０２を撮影する際には、被写体６０２に向けてフラッシュ発光が行われて、アウトカメラで被写体６０２が撮影される。この場合、ユーザ（撮影者）６０３にはフラッシュ発光が行われないので、撮影者６０３の顔は暗い状態でインカメラ６０１によって撮影者６０３が撮影されることになる。
【００１０】
また、一般に、アウトカメラに対してインカメラ６０１の性能が低いことを考慮すると、暗所における撮影の際に、撮影者６０３に対してフラッシュ発光が行われないと、撮影者６０３を良好に撮影することが極めて困難となってしまう。
【００１１】
一方、暗所において撮影者６０３を良好に撮影するため、インカメラ専用のフラッシュ装置を撮像装置６００に装備すると、不可避的に撮像装置６００の製造コストが増加するばかりでなく、カメラ筐体が大型してしまう。
【００１２】
さらには、撮像装置６００を構える撮影者６０３に閃光（発光）によって視覚的な悪影響を与えてしまい、撮影者６０３は所望の撮影操作を行うことができないことがある。
【００１３】
従って、本発明の目的は、フラッシュ発光を行う撮影環境において、撮影者自身を良好に撮影でき、また撮影者の撮影操作などに悪影響を与えることを低減することのできる撮像装置、その制御方法、および制御プログラムを提供することにある。
【課題を解決するための手段】
【００１４】
上記の目的を達成するため、本発明による撮像装置は、被写体を撮影して第１の画像データを得る第１の撮像手段と、前記被写体を撮影する際にユーザ側を撮影して第２の画像データを得る第２の撮像手段と、前記第１の撮像手段による撮影を行う際に前記被写体を照射可能な発光手段と、少なくとも前記第１の画像データに応じた画像を表示する表示手段と有する撮像装置であって、前記第２の撮像手段は前記表示手段の画面が配置された面側を撮影するように配置されており、前記第１の撮像手段および前記第２の撮像手段による撮影を行う際、前記発光手段を発光させる場合、前記表示手段の画面を明るくするように制御する制御手段を有することを特徴とする。
【００１５】
本発明による制御方法は、被写体を撮影して第１の画像データを得る第１の撮像手段と、前記被写体を撮影する際にユーザ側を撮影して第２の画像データを得る第２の撮像手段と、前記第１の撮像手段による撮影を行う際に前記被写体を照射可能な発光手段と、少なくとも前記第１の画像データに応じた画像を表示する表示手段と有する撮像装置の制御方法であって、前記第２の撮像手段は前記表示手段の画面が配置された面側を撮影するように配置されており、前記第１の撮像手段および前記第２の撮像手段による撮影を行う際に、前記発光手段を発光させる場合、前記表示手段の画面を明るくするように制御する制御ステップを有することを特徴とする。
【００１６】
本発明による制御プログラムは、被写体を撮影して第１の画像データを得る第１の撮像手段と、前記被写体を撮影する際にユーザ側を撮影して第２の画像データを得る第２の撮像手段と、前記第１の撮像手段による撮影を行う際に前記被写体を照射可能な発光手段と、少なくとも前記第１の画像データに応じた画像を表示する表示手段と有する撮像装置で用いられる制御プログラムであって、前記第２の撮像手段は前記表示手段の画面が配置された面側を撮影するように配置されており、前記撮像装置が備えるコンピュータに、前記第１の撮像手段および前記第２の撮像手段による撮影を行う際に、前記発光手段を発光させる場合、前記表示手段の画面を明るくするように制御する制御ステップを実行させることを特徴とする。
【発明の効果】
【００１７】
本発明によれば、第１の撮像手段および第２の撮像手段による撮影を行う際に、発光設定が行われていると、表示画面を明るくするので、暗所などにおいて発光制御による撮影を行うに際して、ユーザを表示画面で照らすことができ、その結果、ユーザ自身を良好に撮影でき、また、ユーザの撮影操作などに悪影響を与えることを低減することができる。
【図面の簡単な説明】
【００１８】
【図１】本発明の実施の形態による撮像装置の一例についてその外観を示す斜視図である。
【図２】図１に示すカメラの構成についてその一例を示すブロック図である。
【図３】図２に示すカメラにおける撮影処理の一例を説明するためのフローチャートである。
【図４】図２に示すカメラにおいて同時撮影モードが設定されている場合のストロボ発光撮影の一例を示す図である。
【図５】図３に示すストロボ発光判定処理を説明するためのフローチャートである。
【図６】従来の撮像装置においてフラッシュ装置による投光を行って撮影を行う場合の一例を示す図である。
【発明を実施するための形態】
【００１９】
以下、本発明の実施の形態による撮像装置の一例について図面を参照して説明する。
【００２０】
図１は、本発明の実施の形態による撮像装置の一例についてその外観を示す斜視図である。
【００２１】
図示の撮像装置は、所謂デジタルカメラ（以下単にカメラと呼ぶ）１００であり、少なくとも静止画の撮影を行うことができる。カメラ１００はその背面側に表示部２８が配置されており、この表示部２８には画像および各種情報が表示される。なお、表示部２８には、暗所においてもユーザ（撮影者又は鑑賞者）がその表示内容を視認できるように所謂バックライトが搭載されている。
【００２２】
カメラ１００の上面には電源オンおよび電源オフを切り替える電源スイッチ７２が配置されるとともに、シャッターボタン６１が配置されている。表示部２８の右側には、各種モードを切り替えるモードダイアル（モード切替スイッチともいう）６０が配置されるとともに、ユーザからの各種操作を受け付ける操作部７０が配置されている。
【００２３】
図１には示されていないが、カメラ１００は第１のカメラ部（アウトカメラと呼ぶ）が備えられ、アウトカメラによって被写体が撮影される（第１の撮像）。さらに、カメラ１００は第２のカメラ部（インカメラと呼ぶ）３００を有している。
【００２４】
インカメラ３００は表示部２８の上側直近に配置されて背面方向に向けられている。つまり、インカメラ３００は表示部２８の画面と同一の面に配置されていることになる。そして、後述するようにインカメラ３００によってユーザ側が撮影される（第２の撮像）。
【００２５】
操作部７０にはユーザからの各種操作を受け付けるための各種スイッチ、ボタン、およびタッチパネルなどが備えられている。さらに、操作部７０にはコントローラホイール７３が備えられており、このコントローラホイール７３は回転操作に応じた指令を送出する。
【００２６】
図示の例では、カメラ１００には、カメラ１００と外部機器（図示せず）とを接続するための接続ケーブル１１１が接続されている。この接続ケーブル１１１はコネクタ１１２によってカメラ１００に接続される。
【００２７】
カメラ１００には記録媒体スロット２０１が形成されており、この記録媒体スロット２０１にはメモリカード又はハードディスクなどの記録媒体２００が収納される。記録媒体スロット２０１に記録媒体２００を収納する際には、カメラ１００に設けられた蓋部２０２を開いて、記録媒体スロット２０１に記録媒体２００を収納する。
【００２８】
図２は、図１に示すカメラ１００の構成の一例を示すブロック図である。
【００２９】
前述のように、カメラ１００はアウトカメラ１０１ａおよびインカメラ３００を有している。アウトカメラ１０１ａは撮影レンズユニット（以下単に撮影レンズと呼ぶ）１０３を備えており、撮影レンズ１０３には、少なくともズームレンズおよびフォーカスレンズが備えられている。
【００３０】
撮影レンズ１０３の後段には絞り機能を備えるシャッター１０１が配置されている。そして、シャッター１０１の後側には、光学像（ここでは、被写体像）を電気信号（アナログ信号）に変換するＣＣＤ又はＣＭＯＳ素子を有する撮像部２２が配置されている。撮像部２２の出力であるアナログ信号は、Ａ／Ｄ変換器２３によってデジタル信号（画像データ：以下この画像データを被写体画像データと呼ぶ）に変換される。
【００３１】
なお、撮影レンズ１０３の前面側にはバリア１０２が配置されており、このバリア１０２は撮影レンズ１０３、シャッター１０１、および撮像部２２などを覆って、汚れおよび破損を防止するためのものである。
【００３２】
同様に、インカメラ３００は、撮影レンズ３０３、シャッター３０１、撮像部３２２、およびＡ／Ｄ変換器３２３を有しており、撮像部３２２は光学像（ここでは、撮影者像）に応じたアナログ信号を出力し、撮像部３２２の出力であるアナログ信号はＡ／Ｄ変換器３２３によって画像データ（以下この画像データをユーザ画像データと呼ぶ）に変換される。
【００３３】
なお、撮影レンズ３０３は撮影レンズ１０３に比べてその性能は低くてもよい。また、撮像部３２２は、撮像部２２に比べてその性能は低い。例えば、撮像部３２２は、撮像部２２のＣＣＤ又はＣＭＯＳ素子よりもサイズの小さいＣＣＤ又はＣＭＯＳ素子を有しており、インカメラ３００から出力される画像データのサイズは、アウトカメラから出力される画像データのサイズよりも小さい。
【００３４】
前述の被写体画像データ（第１の画像データ）およびユーザ画像データ（第２の画像データ）はそれぞれ画像処理部２４および３２４に与えられる。さらに、被写体画像データおよびユーザ画像データは直接メモリ制御部１５に与えられる。なお、以下の説明では、被写体画像データおよびユーザ画像データを単に画像データと総称することがある。
【００３５】
画像処理部２４および３２４における処理は同様であるので、ここでは、画像処理部２４に注目して説明を行う。
【００３６】
画像処理部２４はＡ／Ｄ変換器２３の出力である被写体画像データ、又はメモリ制御部１５から画像データを受けて、所定の画素補間および縮小などのリサイズ処理と色変換処理とを行う。また、画像処理部２４は撮像の結果得られた被写体画像データを用いて所定の演算処理を行う。
【００３７】
そして、システム制御部５０は、当該演算結果に基づいて露光制御および測距制御を行う。これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００３８】
さらに、画像処理部２４は撮像の結果得られた被写体画像データを用いて所定の演算処理を行って、当該演算結果に基づいてＴＴＬ方式のＡＷＢ（オートホワイトバランス）処理を行う。
【００３９】
なお、図示の例では、アウトカメラ１０１ａおよびインカメラ３００に対応して画像処理部２４および３２４を設けるようにしたが、画像処理部２４および３２４を１つの画像処理部として上述の処理を行わせるようにしてもよい。
【００４０】
Ａ／Ｄ変換器２３からの出力である被写体画像データは、画像処理部２４およびメモリ制御部１５を介して、或いは直接メモリ制御部１５を介して、メモリ３２に書き込まれる。
【００４１】
同様にして、Ａ／Ｄ変換器３２３からの出力であるユーザ画像データは、画像処理部３２４およびメモリ制御部１５を介して、或いは直接メモリ制御部１５を介して、メモリ３２に書き込まれる。このメモリ３２は、所定枚数の静止画像又は所定時間の動画像および音声を格納するための十分な記憶容量を備えている。
【００４２】
図示のメモリ３２は画像表示用のメモリ（ビデオメモリ）を兼ねており、メモリ３２に書き込まれた表示用の画像データはＤ／Ａ変換器１３を介して表示部２８に与えられて、画像として表示される。
【００４３】
なお、表示部２８は、例えば、ＬＣＤである。また、メモリ３２に蓄積された画像データをＤ／Ａ変換器１３においてＤ／Ａ変換して表示部２８に逐次転送して表示すれば、表示部２８を電子ビューファインダとして機能させてスルー画像表示を行うことができる。
【００４４】
システム制御部５０はカメラ１００全体の制御を司る。図２においては、制御線の便宜上、システム制御部５０が２つ描かれているが、実際にはシステム制御部５０は１つである。そして、ここでは、仮想的に描かれたシステム制御部５０は破線ブロックで示されている。
【００４５】
不揮発性メモリ５６にはシステム制御部５０の動作用の定数、変数、およびプログラムなどが格納されている。このプログラムには、後述する各種フローチャートを実行するためのプログラムが含まれる。不揮発性メモリ５６は電気的に消去・記録可能なメモリであって、例えば、ＥＥＰＲＯＭが用いられる。
【００４６】
システムメモリ５２は、例えば、ＲＡＭであり、システム制御部５０は不揮発性メモリ５６から動作用の定数、変数、およびプログラムなどを読み出して、システムメモリ５２に展開する。
【００４７】
なお、メモリ３２に書き込まれた画像データは、システム制御部５０においてファイル化されて、インターフェース（Ｉ／Ｆ）１８を介して記録媒体２００に記録される。
【００４８】
システム制御部５０にはシステムタイマー５３が接続されており、システムタイマー５２はシステム制御部５０による各種制御で用いる時間を計測してシステム制御部５０に与える。さらに、システム制御部５０には、被写体を照射可能なストロボ装置（発光装置）１０１ｂが接続されており、システム制御部５０は、ストロボ発光モードが設定されていると、撮影の際にストロボ装置１０１ｂを発光制御する。
【００４９】
なお、図示はしないが、周囲の明るさを検出して、周囲の明るさが所定の明度未満であると、システム制御部６０はストロボ装置１０１ｂを発光制御するようにしてもよい。
【００５０】
前述のモード切替スイッチ６０は、例えば、システム制御部５０の動作モードを静止画記録モード、動画記録モード、および再生モードなどのいずれかに切り替えるためのスイッチである。
【００５１】
上記の静止画記録モードには、例えば、オート撮影モード、オートシーン判別モード、マニュアルモード、撮影シーン別の撮影設定となる各種シーンモード、プログラムＡＥモード、およびカスタムモードがある。モード切り替えスイッチ６０を用いれば、これらのモードのいずれかに直接切り替えることができる。
【００５２】
また、モード切り替えスイッチ６０によって静止画記録モードに一旦切り換えた後、上記のモードのいずれかに操作部７０を用いて切り替えるようにしてもよい。同様に、動画記録モードにも複数のモードが含まれている。
【００５３】
シャッターボタン６１が操作途中（半押し：撮影準備指示）であると、第１のシャッタースイッチ（図示せず）がオンとなって、第１のシャッタースイッチ信号ＳＷ１がシステム制御部５０に与えられる。
【００５４】
これによって、システム制御部５０はＡＦ（オートフォーカス）処理、ＡＥ（自動露出）処理、ＡＷＢ（オートホワイトバランス）処理、およびＥＦ（フラッシュプリ発光）処理などの動作を開始する。
【００５５】
シャッターボタン６１が操作完了（全押し）になると、第２のシャッタースイッチ（図示せず）がオンとなって、第２のシャッタースイッチ信号ＳＷ２がシステム制御部５０に与えられる。これによって、システム制御部５０は撮像部２２および３２２の信号読み出しから記録媒体２００に画像データを書き込むまでの一連の撮像処理の動作を開始する。
【００５６】
表示部２８に表示される種々の機能アイコンを選択操作すると、場面（シーン）毎に適宜機能が割り当てられて、操作部７０は各種機能ボタンとして作用する。機能ボタンとして、例えば、終了ボタン、戻るボタン、画像送りボタン、ジャンプボタン、絞込みボタン、および属性変更ボタンがある。
【００５７】
操作部７０においてメニューボタンが操作されると、システム制御部５０は各種設定を行うためのメニュー画面を表示部２８に表示する。ユーザは表示部２８に表示されたメニュー画面を見て、４方向キーおよびＳＥＴボタンを用いて直感的に各種設定を行うことができる。
【００５８】
図１に示すコントローラホイール７３は方向ボタンとともに選択項目を指示する際などに用いられる。コントローラホイール７３を回転操作すると、操作量に応じた電気的なパルス信号が発生する。システム制御部５０は当該パルス信号に基づいてカメラ１００を制御する。システム制御部５０はパルス信号によってコントローラホイール７３が回転操作された角度およびその回転数を知ることができる。
【００５９】
なお、コントローラホイール７３は回転操作が検出できる操作部材であればどのようなものでもよい。例えば、コントローラホイール７３はユーザの回転操作に応じてパルス信号を発生するダイヤル操作部材であってもよい。
【００６０】
また、コントローラホイール７３は回転することなく、タッチセンサよりなる操作部材であってユーザの指の回転動作などを検出するものであってもよい（所謂タッチホイール）。
【００６１】
電源制御部８０は電池検出回路、ＤＣ−ＤＣコンバータ、および通電するブロックを切り替えるスイッチ回路などを備えている。そして、電源制御部８０は電池の装着の有無、電池の種類、および電池残量の検出を行う。また、電源制御部８０は上記の検出結果およびシステム制御部５０の指示に基づいてＤＣ−ＤＣコンバータを制御して、所定の電圧を必要な期間の間、記録媒体２００を含むカメラ１００の各部に供給する。
【００６２】
電源制御部８０には電源部３０が接続されている。電池部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００６３】
記録媒体Ｉ／Ｆ１８は、メモリカード又はハードディスクなどの記録媒体２００とのインターフェースであり、記録媒体２００には撮影の結果得られた画像データが記録される。この記録媒体２００は、例えば、半導体メモリ又は磁気ディスクから構成される。
【００６４】
図３は、図２に示すカメラ１００における撮影処理の一例を説明するためのフローチャートである。なお、図３に示すフローチャートに係る処理は、システム制御部５０が不揮発性メモリ５６に格納されたプログラムをシステムメモリ５２に展開して実行することによって行われる。
【００６５】
前述したように、インカメラ３００を構成する撮影レンズ３０３、シャッター３０１、撮像部３２２、Ａ／Ｄ変換器３２３、および画像処理部３２４については、基本的に撮影レンズ１０３、シャッター１０１、撮像部２２、Ａ／Ｄ変換器２３、および画像処理部２４と同様に動作する。
【００６６】
撮影処理を開始すると、システム制御部５０はシャッターボタン６１によって撮影操作が行われたか否かを判定する（ステップＳ１０１）。撮影操作が行われないと（ステップＳ１０１において、ＮＯ）、システム制御部５０は待機する。
【００６７】
一方、撮影操作が行われると（ステップＳ１０１において、ＹＥＳ）、システム制御部５０は後述するストロボ発光判定処理を行って（ステップＳ１０２）、ストロボ発光判定結果を得る。
【００６８】
続いて、システム制御部５０は、操作部７０又はモード切替スイッチ６０によってアウトカメラ１０１ａおよびインカメラ３００によって撮影を行う同時撮影モードが設定されているか否かを判定する（ステップＳ１０３）。この同時撮影モードが設定されていないと（ステップＳ１０３において、ＮＯ）、システム制御部５０は、後述するストロボ発光の設定が行われているか否かを判定する（ステップＳ１０４）。
【００６９】
ストロボ発光の設定が行われていると（ステップＳ１０４において、ＹＥＳ）、システム制御部５０は、ストロボ装置１０１ｂを発光制御して（ステップＳ１０５）、アウトカメラ１０１ａによって被写体の撮影を行う（ステップＳ１０６）。そして、システム制御部５０は、電源がオフされたか否かを判定する（ステップＳ１０７）。
【００７０】
電源がオフされると（ステップＳ１０７において、ＹＥＳ）、システム制御部５０は撮影処理を終了する。一方、電源がオフされないと（ステップＳ１０７において、ＮＯ）、システム制御部５０はステップＳ１０１の処理に戻って、撮影操作が行われたか否かを判定する。
【００７１】
なお、ストロボ発光設定が行われていないと（ステップＳ１０４において、ＮＯ）、システム制御部５０はステップＳ１０６の処理に進んで、アウトカメラ１０１ａによって被写体を撮影する。
【００７２】
同時撮影モードが設定されていると（ステップＳ１０３において、ＹＥＳ）、システム制御部５０は、後述するストロボ発光設定が行われているか否かを判定する（ステップＳ１０８）。
【００７３】
ストロボ発光設定が行われていると（ステップＳ１０４において、ＹＥＳ）、システム制御部５０は、メモリ制御回路１５を介して表示部２８の画面を全面単色（例えば、面白色）とするとともに、表示部２８に備えられたバックライトの輝度を通常輝度から最大輝度として（つまり、予め定められた明るさとして）、ストロボ装置１０１ｂを発光制御する（ステップＳ１０９）。ここで、変更する前の輝度の情報はメモリ３２に一時的に記録しておく。そして、システム制御部５０はアウトカメラ１０１ａによって被写体を撮影するとともに、インカメラ３００によってユーザ（例えば、撮影者）を撮影する（ステップＳ１１０）。
【００７４】
図４は、図２に示すカメラ１００において、同時撮影モードが設定されている場合のストロボ発光撮影の一例を示す図である。
【００７５】
暗所など被写体４０２を撮影する際には、被写体４０２に向けてフラッシュ装置１０１ｂによる発光が行われて、アウトカメラ１０１ａで被写体４０２が撮影される。この際、表示部２８の画面は白画面とされ、かつその輝度が最大輝度（ＭＡＸ）とされるので、ユーザ４０１は表示部２８の画面に照らされる状態となる。この結果、ユーザ４０１は比較的明るい状態でインカメラ３００によって撮影されることになる。
【００７６】
ステップＳ１１０における撮影の後、システム制御部５０は表示部２８における全面白表示を停止するとともに、バックライトの輝度を最大輝度からステップＳ１０９で変更する前の元の輝度（通常輝度）に戻す（ステップＳ１１１）。元の輝度も戻す際には、メモリ３２に一時記録した変更する前の輝度の情報を用いてバックライトの輝度を元の輝度に変更する。そして、システム制御部５０はステップＳ１０７の処理に進んで電源がオフされたか否かを判定する。
【００７７】
ストロボ発光設定が行われていないと（ステップＳ１０４において、ＹＥＳ）、システム制御部５０はアウトカメラ１０１ａによって被写体を撮影するとともに、インカメラ３００によってユーザを撮影する（ステップＳ１１２）。そして、システム制御部５０はステップＳ１０７の処理に進んで電源がオフされたか否かを判定する。
【００７８】
なお、上述の例では、表示部２８がＬＣＤ（液晶パネル）であって、バックライトの輝度を最大輝度とするようにしたが、表示部２８が、例えば、有機ＥＬなどの自己発光型の表示デバイスである場合には、自己発光による発光効率が最も高い白色とする。
【００７９】
図４は、図３に示すストロボ発光判定処理を説明するためのフローチャートである。
【００８０】
ストロボ発光判定処理を開始すると、まず、システム制御部５０は、設定部７０などによるユーザ設定によってストロボ装置１０１ｂの強制発光が選択されているか否かを判定する（ステップＳ２０１）。ストロボ強制発光が選択されていると（ステップＳ２０１において、ＹＥＳ）、システム制御部５０はストロボ装置１０１ｂを発光すると決定して、ストロボ発光設定を行う（ステップＳ２０２）。そして、システム制御部５０はストロボ発光判定処理を終了する。
【００８１】
一方、ストロボ強制発光が選択されていないと（ステップＳ２０１において、ＮＯ）、システム制御部５０はユーザによってストロボオート（ＡＵＴＯ）が設定されているか否かを判定する（ステップＳ２０３）。ストロボＡＵＴＯが設定されていないと（ステップＳ２０３において、ＮＯ）、システム制御部５０はストロボ装置１０１ｂを発光しないと決定して、ストロボ非発光設定を行う（ステップＳ２０４）。そして、システム制御部５０はストロボ発光判定処理を終了する。
【００８２】
ストロボＡＵＴＯが設定されていると（ステップＳ２０３において、ＹＥＳ）、システム制御部５０は、スルー画像などを解析してカメラ１００の周囲の明るさが所定の明度以上であるか否かを判定する（ステップＳ２０５）。つまり、システム制御部５０は周囲が明るいか否かを判定することになる。
【００８３】
周囲が明るいと（ステップＳ２０５において、ＹＥＳ）、システム制御部５０はステップＳ２０４の処理に進んで、ストロボ非発光設定を行う。一方、周囲が暗いと（ステップＳ２０５において、ＮＯ）、システム制御部５０はステップＳ２０２の処理に進んで、ストロボ発光設定を行う。
【００８４】
なお、上述の例では、ステップＳ２０３においてユーザ設定がストロボＡＵＴＯでないと、ストロボ非発光設定を行うようにしたが、カメラ１００における設定項目の種類によってはストロボ強制発光およびストロボＡＵＴＯ以外にも、例えば、スローシンクロモードなどのストロボモードがある。この場合においても、ストロボモードの性質に応じて、システム制御部５０はストロボ発光を行うか否かを判定するようにすればよい。
【００８５】
ステップＳ２０５においてカメラ１００の周囲の明るさを判定する際には、システム制御部５０は撮影レンズの明るさ、撮像部に備えられたＣＣＤ又はＣＭＯＳセンサの性能、および撮影モードに応じて周囲の明るさとストロボ発光との関係を判定することになる。
【００８６】
このように、本発明の実施の形態では、ストロボ発光を行ってアウトカメラ１０１ａで被写体を撮影する際にインカメラ３００を用いて撮影する場合、表示部２８の輝度を高くするようにして、表示部２８からの光によって撮影者を照らすようにしたので、暗所においても良好にユーザを撮影することができる。
【００８７】
なお、図２には示されていないが、被写体を撮影する際に、スルー画像などに応じてシステム制御部５０は逆光状態にあるか否かを判定するようにしてもよい。そして、逆光状態にあると、ストロボ発光設定が行われていても、システム制御部５０は表示部５０の画面の輝度を通常輝度のままとする。つまり、システム制御部５０は表示部５０の画面輝度を変化しない。
【００８８】
加えて、表示部２８の近傍に近接センサを配置して、システム制御部５０は表示部２８の画面とユーザとの距離（以下ユーザ距離と呼ぶ）を計測（距離検出）するようにしてもよい。そして、システム制御部５０はユーザ距離に応じて表示部２８の画面輝度を調整する。ここでは、ユーザ距離が短くなる程、システム制御部５０は画面輝度を低くするように輝度調整を行うことになる。なお、ユーザ距離が所定の距離以下となると、システム制御部５０は画面輝度を通常輝度のままとして変更しない。
【００８９】
以上、本発明について実施の形態に基づいて説明したが、本発明は、これらの実施の形態に限定されるものではなく、この発明の要旨を逸脱しない範囲の様々な形態も本発明に含まれる。
【００９０】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００９１】
上記の制御方法および制御プログラムの各々は、少なくとも明るさ調整ステップおよび制御ステップを有している。
【００９２】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００９３】
１５  メモリ制御部
２２，３２２  撮像部
２４，３２４  画像処理部
２８  表示部
３２  メモリ
５０  システム制御部
６１  シャッターボタン
１０１ａ  アウトカメラ
１０１ｂ  ストロボ装置
３００  インカメラ
【図１】
2015103943.tif 000003
【図２】
2015103943.tif 000004
【図３】
2015103943.tif 000005
【図４】
2015103943.tif 000006
【図５】
2015103943.tif 000007
【図６】
2015103943.tif 000008